(57)【要約】【課題】  従来は，新聞や雑誌の広告は紙媒体での情報，ウェブ上は通信媒体での情報と別々の情報と扱われ，媒体間を継ぎ目無く行き来できるような情報の連携は実現されてこなかった。【解決手段】  新聞，雑誌などの広告原稿を掲載体裁通りにデジタル・データ化して表示した上に、その広告情報を補強する情報があること表す情報を重ねて表示すると共に，その重ねて表示した表示情報の属性情報として補強情報のリンク先を付加して補強情報にアクセスできるようにした。これにより，新聞，雑誌などの広告紙面をポータル・サイト化することでき，新聞や雑誌の広告情報と，ウェブ上での情報が継ぎ目無く合体できるようになる。【選択図】図１
2010140450.tif 000002
【特許請求の範囲】
【請求項１】
新聞，雑誌などの広告原稿を掲載体裁通りにデジタル・データ化して表示する手段と、その広告情報を補強する情報があることを表す情報を重ねて表示する手段と，その重ねて表示した情報の属性情報に補強情報のリンク先情報を付加して補強情報にアクセスできる様にする手段から構成し，新聞，雑誌などの広告紙面をポータル・サイト化するパーパーポータルシステム。
【請求項２】
トークバックシステムと称する、双方向コミュニケーション・システムを利用したＱ＆Ａによる広告アンケート機能を設けた請求項１記載のパーパーポータルシステム。
【発明の詳細な説明】
【技術分野】
【０００１】  本発明は、新聞，雑誌などの広告紙面をウェブ上のポータル・サイト化するもの。
【背景技術】
【０００２】  新聞や雑誌の広告紙面では広告主などが生活者に商品特徴、利便性、競合品との差異、価格などの優位性を伝えたいと、ヘッドライン、ボディコピー、写真、イラスト、図表、マーク、ロゴタイプなどを効果的に配し、デザイン処理する。しかし、新聞広告などの限られた紙面スペースではその情報量は限定されており，当該情報を補強、理解を促進させる為には、他の広告媒体などを利用したメディア・ミックスが不可欠であるがそれらに効率的に誘導し接触させる手法は無かった。
【発明の開示】
【発明が解決しようとする課題】
【０００３】  つまり従来は，新聞や雑誌の広告は紙媒体での情報，ウェブ上は通信媒体での情報と別々の情報と扱われ，媒体間を継ぎ目無く行き来できるような情報の連携は実現されてこなかった。【０００４】  本発明は，新聞や雑誌の広告紙面をその体裁のままウェブ上の情報として表示し，さらにその広告を補強する情報としてウェブ上の情報にリンクさせ，新聞や雑誌の広告紙面をポータル・サイト化して媒体間を継ぎ目無く行き来できるようにすることを目的とするものである。
【課題を解決するための手段】
【０００５】  本発明は上記目的を達成するために、新聞，雑誌などの広告原稿を掲載体裁通りにデジタル・データ化して表示した上に、その広告情報を補強する情報があること表す情報を重ねて表示すると共に，その重ねて表示した表示情報の属性情報として補強情報のリンク先を付加して補強情報にアクセスできる様にしたものである。
【発明の効果】
【０００６】  上述したように本発明のパーパーポータルシステムは，紙媒体での新聞や雑誌の広告情報と，通信媒体でのウェブ上での情報に継ぎ目無く行き来できるようになる。【０００７】
【発明を実施するための最良の形態】
【０００８】  以下，本発明の実施の形態を図１，図２に基づいて説明する。【０００９】  図１において，１はパソコンなどのインターネット環境を持った装置の表示部に表示されるディジタル化した新聞または雑誌の広告の画面，２は広告のイラストなどの図面部，３は広告説明用の文章部，４は図面部２に重ねて表示する例えばボタン形状の画像，５は文章部３に重ねて表示する例えばボタン形状の画像，６は新聞または雑誌の広告が表示される画面１にボタン形状の画像４およびボタン形状の画像５が重畳表示された画面，７は図面部２に重ねて表示するボタン形状の画像４の属性情報で指定されるウェブ上の情報，８は文章部３に重ねて表示するボタン形状の画像５の属性情報で指定されるウェブ上の情報である。【００１０】  図２はトークバックシステムと称する、双方向コミュニケーション・システムを利用したＱ＆Ａによる広告アンケート機能を実現する質問事項の例を示したものである。【００１１】  動作を説明する前に予め作成する情報を説明する。まず，新聞，雑誌などの広告原稿を掲載体裁通りに表示するためのデジタル・データと，その広告情報に関連する補強情報があること表す情報を重ねて表示できるようにした例えばボタン形状の画像データ，補強情報のリンク先情報（ウェブサイトアドレス）からなるデータをそのボタン形状の画像データの属性情報，トークバック用広告アンケートの質問事項のデータ，を用意して専用のウェブサイトに記憶する。【００１２】  以下，上記構成の動作を説明する。まずパソコンなどのインターネット環境を持った装置から前記新聞または雑誌の広告を掲載する前記専用のウェブサイトにつなぐ。【００１３】  つづいてウェブサイトに接続されるとパソコンなどの装置の表示部に図１の新聞または雑誌の広告を表示する画面１が表示される。同時にイラストなどの図面部２および広告説明用の文章部３のそれぞれの上にボタン形状の画像４，ボタン形状の画像５が重畳表示される。その後表示装置上でボタン形状の画像４の上にカーソルもってこられクリックされるとボタン形状の画像４の属性情報で指定されるウェブサイトの情報７を表示する。またボタン形状の画像５の上にカーソルもってこられクリックされるとボタン形状の画像５の属性情報で指定されるウェブサイト上の情報８が表示される。【００１４】  このようにして広告情報が表示され，と同時にどこの広告がクリックされたかを履歴情報としてウェブサイトで収集する。【００１５】  つづいて広告情報のアクセス後に同一ウェブサイト上にあるトークバック用広告アンケートのページに行くと図２の質問事項に行ける。そこで質問に回答するとこの回答情報はウェブサイトに収集される。【００１６】  以上が動作である。【００１７】  以上説明してきたように、利用者は専用のウェブサイトにアクセスし、広告情報上に設定されたボタンにマウスを近づけると、ボタンに設定されていることが一目で分かるので、その部分をクリックすると、予め設定されたにウェブサイトに自動的に接続されるため，利用者が知りたい、広告主が知らせたい情報を簡単に、瞬時に利用できるポータル・サイトとなる。【００１８】  また，ウェブ上の膨大な情報の中から、当該広告に関係が深く、優��で判り易く、新聞広告などとの相乗効果を最大に発揮でき、安心、信頼でき、便利に活用できる情報だけに限定して閲覧、視聴できる。【００１９】  さらに，毎日、朝刊、夕刊と矢継ぎ早に発行される新聞の広告は日々、忘却されてしまう。必要が生じた時に検索可能となった新聞記事とは異なり、新聞広告を簡単に検索する術は現時点ではない。これを、専用ウェブサイト上に一部ではあるが、当該新聞広告を長期間（当初は１ヶ月間）掲出可能にし、新聞広告を長期的に利用、活用可能にすることができる。【００２０】  また，ペーパーポータルの専用ウェブサイトは日本全国を始め、インターネットを使う世界中にいる日本人、日本語が理解できる外国人も幅広く閲覧、利用可能となる。その為、当該新聞の発行部数、配布エリアを越えての利用、活用が拡大することになる。【００２１】  また，ペーパーポータルの利用を通じてインターネットへの抵抗感などで利用を控えていた層やインターネットの知識が未熟の為、情報を探しきれなかった生活者の有効活用を促進することができる。【００２２】  本発明には、１９８７年より、利用すると、広告の認知、理解が促進され、当該商品の購入意向を劇的に向上させる実績が証明されたトークバックシステムと称する、双方向コミュニケーション・システムを利用したＱ＆Ａによる広告アンケート機能を設けている。これにより、ペーパーポータル利用の広告活動の販売促進効果が一層向上できる。【００２３】  また専用のウェブサイト上の閲覧した広告、アクセス回数などを記録するので，特定の期間の利用状況が数値で判明する。また広告アンケートのトークバックのＱ＆Ａにウェブサイトから回答応募すると、それぞれ当該広告毎に抽選でプレゼントを提供するようにすれば、利用促進と、併せて当該広告商品の販売促進にもつながることになる。
【図面の簡単な説明】
【００２４】
【図１】  新聞または雑誌の広告を表示する画面と，それに重ねて表示する画像とその画像の属性情報で指定されるウェブ上の情報を示した図
【図２】  トークバックシステムの質問事項例を示した図
【符号の説明】
【００２５】１  新聞または雑誌の広告を表示する画面
２  広告のイラストなどの図面部
３  広告説明用の文章部
４  図面部２に重ねて表示する例えばボタン形状の画像
５  文章部３に重ねて表示する例えばボタン形状の画像
６  新聞または雑誌の広告を表示する画面１にボタン形状の画像４および画像５が重畳表示された画面
７  図面部２に重ねて表示するボタン形状の画像４の属性情報で指定されるウェブ上の情報
８  文章部３に重ねて表示するボタン形状の画像５の属性情報で指定されるウェブ上の情報
【図１】
2010140450.tif 000003
【図２】
2010140450.tif 000004